(57)【要約】【課題】電子デバイスを用いて電子文書をナビゲートする改良された方法及び電子デバイスを提供する。【解決手段】電子デバイスによって、少なくとも一つのナビゲーション要素を有する電子文書を取得し、各ナビゲーション要素に対して、対応するコードを自動的に生成し、電子デバイスのディスプレイ上に電子文書を表示し、各ナビゲーション要素に対して、対応するコードに対するオーバレイが、電子文書に自動的に挿入され、各ナビゲーション要素は、対応するコードと共に表示され、各ナビゲーション要素と、電子デバイスの入力要素又は入力要素の組合せとをリンクし、少なくとも一つの入力要素の選択を受信し、選択された入力要素に対応する、ナビゲーション要素によって表わされるターゲットを表示する。【選択図】図５
2008269612.tif 000002
【特許請求の範囲】
【請求項１】
電子デバイスを用いて電子文書をナビゲートする方法であって、
前記方法は、
（ａ）前記電子デバイスによって、少なくとも一つのナビゲーション要素を有する電子文書を取得し、
（ｂ）各前記ナビゲーション要素に対して、対応するコードを自動的に生成し、
（ｃ）前記電子デバイスのディスプレイ上に前記電子文書を表示し、前記各ナビゲーション要素に対して、対応する前記コードに対するオーバレイが、前記電子文書に自動的に挿入され、前記各ナビゲーション要素は、対応する前記コードと共に表示され、
（ｄ）前記各ナビゲーション要素と、前記電子デバイスの入力要素又は前記入力要素の組合せとをリンクし、
（ｅ）少なくとも一つの入力要素の選択を受信し、
（ｆ）前記選択された入力要素に対応する、前記ナビゲーション要素によって表わされるターゲットを表示する、
ことを含むことを特徴とする方法。
【請求項２】
前記（ｅ）は、
前記電子デバイス上のキーが作動されたことを示す指示を受信すること、
前記入力要素が、ナビゲーション機能を起動するのに十分な長さの間、作動されたかどうかを判定すること、
ナビゲーションキーが、作動されたかどうかを判定すること、
前記ナビゲーション要素に対応する前記コードが受信された場合、前記ターゲットを自動的に表示すること、
前記ナビゲーション要素に対応する前記コードを受信してから、指定された時間が経過した後にターゲットを表示すること、
の少なくとも一つを含むことを特徴とする請求項１に記載の方法。
【請求項３】
前記ターゲットは、ランディングページを含み、
前記ナビゲーション要素に対応する前記コードが受信された場合、前記ランディングページを自動的に表示する、
ことを特徴とする請求項１に記載の方法。
【請求項４】
プロセッサと、
前記プロセッサと通信可能な、プロセッサ読取可能記憶媒体と、
を含む、電子文書をナビゲートする電子デバイスであって、
前記プロセッサ読取可能記憶媒体は、前記電子デバイスを用いて前記電子文書をナビゲートする方法を行なう、少なくとも一つのプログラム命令を含み、
前記方法は、
（ａ）前記電子デバイスによって、少なくとも一つのナビゲーション要素を有する電子文書を取得し、
（ｂ）各前記ナビゲーション要素に対して、対応するコードを自動的に生成し、
（ｃ）前記電子デバイスのディスプレイ上に前記電子文書を表示し、前記各ナビゲーション要素に対して、対応する前記コードのオーバレイが、前記電子文書に自動的に挿入され、各ナビゲーション要素は、対応する前記コードと共に表示され、
（ｄ）前記各ナビゲーション要素と前記電子デバイスの入力要素または前記入力要素の組合せとをリンクし、
（ｅ）少なくとも一つの入力要素の選択を受信し、
（ｆ）選択された前記入力要素に対応する、前記ナビゲーション要素によって表わされるターゲットを表示する、
電子デバイス。
【発明の詳細な説明】
【技術分野】
【０００１】
本発明は、電子デバイスを用いて電子文書をナビゲートする方法、及び、電子文書をナビゲートする電子デバイスに関する。
【背景技術】
【０００２】
携帯電話及びパーソナル・ディジタル・アシスタンスト（ＰＤＡ）等の電子デバイスは、特に移動する人々にとって、急速に必需品となりつつある。電子デバイスは、通話を行い、テキストメッセージを送受信し、インターネットをブラウズし、写真を撮る、等に使用することができる。電子デバイス上の表示領域は、そのサイズのために狭い場合がある。しかしながら、表示領域は、一般に、人の写真や連絡先情報等、画像を見る又はテキストを表示するには十分である。電子デバイスは、一般に、デバイスのキーパッド上に在る押しキー、トラッキングホイール又はデバイス上に在る他のボタン等、テキストをスクロールするための手段を備えている。
【０００３】
しかしながら、従来の電子デバイスの主要な限界は、それらが、マウスと等価ではないことである。このため、ウェブページ、ハイパーリンク、又は、他のマウスによって操作される領域を含む他の文書を、電子デバイスを用いてナビゲートすることは、困難である。
【特許文献１】米国特許第６，８３６，７６８号明細書
【特許文献２】米国特許第６，９２４，８２８号明細書
【特許文献３】米国特許第６，９６５，７８２号明細書
【発明の開示】
【発明が解決しようとする課題】
【０００４】
本願発明は、電子デバイスを用いて電子文書をナビゲートする改良された方法及び電子デバイスを提供することを目的としている。
【課題を解決するための手段】
【０００５】
本発明の電子デバイスを用いて電子文書をナビゲートする方法は、モバイルデバイスによって、一つ又はそれ以上のナビゲーション要素を有する電子文書を取得し、各ナビゲーション要素に対して、対応するコードを自動的に生成する、ことを含んでもよい。電子文書は、各ナビゲーション要素と対応するコードとが共に表示されるように、モバイルデバイスの表示領域上に表示されてもよい。各ナビゲーション要素は、電子デバイスの入力要素又は入力要素の組合せとリンクされてもよい。選択された少なくとも一つの入力要素が受信されてもよい、かつ、選択された入力要素に対応するナビゲーション要素によって表わされるランディングページが表示されてもよい。
【０００６】
本発明の電子デバイスを用いて電子文書をナビゲートする方法は、電子デバイスによって、一つ又はそれ以上のナビゲーション要素を有する電子文書を取得し、各ナビゲーション要素に対して、対応するコードを自動的に生成する、ことを含んでもよい。電子文書は、電子デバイスの表示領域上に表示されてもよい。各コードに対するオーバレイを電子文書に自動的に挿入し、各ナビゲーション要素と、対応するコードとを共に表示してもよい。各ナビゲーション要素は、電子デバイスの入力要素又は入力要素の組合せとリンクされてもよい。選択された少なくとも一つの入力要素が受信されてもよい、かつ、選択された入力要素に対応するナビゲーション要素によって表わされるターゲットが表示されてもよい。
【０００７】
本発明の電子文書をナビゲートするための電子デバイスは、プロセッサ及びプロセッサと通信可能なプロセッサ読取可能記憶媒体を含んでもよい。プロセッサ読取可能記憶媒体は、電子デバイスを用いて電子文書をナビゲートするための方法を実施する一つ又はそれ以上の命令を含んでもよい。この方法は、電子デバイスによって、一つ又はそれ以上のナビゲーション要素を有する電子文書を取得し、各ナビゲーション要素に対して、対応するコードを自動的に生成する、ことを含んでもよい。電子文書は、電子デバイスの表示領域上に表示されてもよい。各コードに対するオーバレイを電子文書に自動的に挿入し、各ナビゲーション要素と対応するコードとを共に表示してもよい。各ナビゲーション要素は、電子デバイスの入力要素又は入力要素の組合せとリンクされてもよい。選択された少なくとも一つの入力要素が受信されてもよい、かつ、選択された入力要素に対応するナビゲーション要素によって表わされるターゲットが表示されてもよい。
【０００８】
本発明の第１の態様は、電子デバイスを用いて電子文書をナビゲートする方法であって、（ａ）電子デバイスによって、少なくとも一つのナビゲーション要素を有する電子文書を取得し、（ｂ）各ナビゲーション要素に対して、対応するコードを自動的に生成し、（ｃ）電子デバイスのディスプレイ上に電子文書を表示し、各ナビゲーション要素に対して、対応するコードに対するオーバレイが、電子文書に自動的に挿入され、各ナビゲーション要素は、対応するコードと共に表示され、（ｄ）各ナビゲーション要素と、電子デバイスの入力要素又は入力要素の組合せとをリンクし、（ｅ）少なくとも一つの入力要素の選択を受信し、（ｆ）選択された入力要素に対応する、ナビゲーション要素によって表わされるターゲットを表示する、ことを含む。
【０００９】
本発明の第２の態様は、第１の態様の方法であって、（ｅ）は、電子デバイス上のキーが作動されたことを示す指示を受信すること、入力要素が、ナビゲーション機能を起動するのに十分な長さの間、作動されたかどうかを判定すること、ナビゲーションキーが、作動されたかどうかを判定すること、ナビゲーション要素に対応するコードが受信された場合、ターゲットを自動的に表示すること、ナビゲーション要素に対応するコードを受信してから、指定された時間が経過した後にターゲットを表示すること、の少なくとも一つを含む。
【００１０】
本発明の第３の態様は、第１の態様の方法であって、ターゲットは、ランディングページを含み、ナビゲーション要素に対応するコードが受信された場合、ランディングページを自動的に表示する、ことを含む。
【００１１】
本発明の第４の態様は、電子文書をナビゲートする電子デバイスであって、プロセッサと、プロセッサと通信可能な、プロセッサ読取可能記憶媒体と、を含み、プロセッサ読取可能記憶媒体は、電子デバイスを用いて電子文書をナビゲートする方法を行なう、少なくとも一つのプログラム命令を含み、該方法は、（ａ）電子デバイスによって、少なくとも一つのナビゲーション要素を有する電子文書を取得し、（ｂ）各ナビゲーション要素に対して、対応するコードを自動的に生成し、（ｃ）電子デバイスのディスプレイ上に電子文書を表示し、各ナビゲーション要素に対して、対応するコードのオーバレイが、電子文書に自動的に挿入され、各ナビゲーション要素は、対応するコードと共に表示され、（ｄ）各ナビゲーション要素と電子デバイスの入力要素または入力要素の組合せとをリンクし、（ｅ）少なくとも一つの入力要素の選択を受信し、（ｆ）選択された入力要素に対応する、ナビゲーション要素によって表わされるターゲットを表示する、ことを含む。
【発明を実施するための最良の形態】
【００１２】
電子デバイスは、電子文書を表示するのに使用することができる。電子デバイスには、携帯電話、ＰＤＡ、メディアプレーヤー等のモバイル又はポータブルなデバイスが含まれてもよい。更に、電子デバイスには、ユーザインタフェースを有するプリンタ又は複写機、又は、他の同様のユーザインタフェースを有する電子デバイスが含まれてもよい。電子デバイスは、プロセッサ、及び、プロセッサに接続されたプロセッサ読取可能記憶媒体を有してもよい。図１に示すように、電子デバイス１００は、デバイスの表示領域１０５上に電子文書を表示することに使用することができる。
【００１３】
電子文書には、ウェブページ、文書、写真、伝送可能な文書フォーマットで保存された文書、又は、他の同様の文書であって、少なくとも一つのナビゲーション要素を有するものが含まれてもよい。
【００１４】
ナビゲーション要素は、表示可能な文書又はランディングページ（landing page）等の自動化されたターゲット（target）への相互参照であってもよい。ナビゲーション要素は、例えば、ハイパーリンク、画像、又は、他の任意のターゲットにリンクされた表示要素である。
【００１５】
ターゲットは、インターネット等の通信ネットワークを越えた伝送に適した、かつ、ウェブブラウザ等のソフトウェアアプリケーションを介してアクセス可能な、表示可能な情報源である。ターゲットは、例えば、ＨＴＭＬウェブページ、ＸＭＬウェブページ、ランディングページ、ワードプロセシング文書、又は、任意の同様の文書である。
【００１６】
図１に示すように、ユーザは、電子デバイス１００を用いてサーチエンジンの出力するターゲットにアクセスすることができる。問合せの入力後、サーチエンジンは、結果のリストをナビゲーション要素１１０の形態で表示することができる。図１は、３個のナビゲーション要素を示しているが、さらに多い又はより少ないナビゲーション要素を表示することができる。電子デバイスはまた、ターゲットを表示する表示画面１０５、及び、一つ又はそれ以上の入力デバイス、例えば、押しボタン１２０、英数字キーパッド１２５、スクロールホイール、クリックホイール、トラックボール、ポインタ又は他のデバイスを備えることができる。開示された方法及びシステムは、設置型及び携帯型の両方のマウス又は他の従来の入力デバイスを有するものを含む電子デバイスに適用できることは、この技術分野における通常の知識を有する人には明らかであろう。
【００１７】
一実施形態では、ユーザは、電子デバイスのキーパッドを用いることによって、ターゲットにアクセスすることができる。図２は、デバイス２００の表示領域２１０に表示することができるターゲット２０５を示す。図２に示したターゲット２０５は、サーチエンジンへの問合せに対する結果をリストにしたもので、結果は、他のウェブページに対するナビゲーション要素を含んでいる。具体的には、ナビゲーション要素Ａ２１５、ナビゲーション要素Ｂ２２０、ナビゲーション要素Ｃ２２５及びナビゲーション要素Ｊ２６０が示されている。ターゲットの例として、ウェブページ２０５を使用したが、他のウェブページ、伝送可能な文書フォーマットの文書、ワードプロセシング文書、又は、他の電子文書であって、少なくとも一つのナビゲーション要素を有する任意の電子文書を、デバイス２００によってナビゲートすることができることが、本開示の教示に基づいて理解されるであろう。
【００１８】
図２に示すように、ナビゲーション要素は、対応するコードと共に表示されてもよい。コードは、デバイス２００のキーパッド２３０上の一つ又はそれ以上のラベル付きのキー（例えば、２５０、２５５及び２７０）に対応する一つ又はそれ以上の数字、文字、色、記号、テクスチャ、形状、網掛け等を含んでもよい。例えば、図２に示すように、コードは、数字、具体的には、数字「１」２３５、「２」２４０、「３」２４５及び「１０」２６５によって表わすことができる。コードは、デバイス２００上のウェブブラウザ又はソフトウェアアプリケーションによって自動的に生成され、かつ、電子文書上のオーバレイとして表示することができる。例えば、デバイス２００のウェブブラウザは、ナビゲーション要素が存在する電子文書内のどの場所にでも、コードをオーバレイしてもよい。結果として、電子文書内のナビゲーション要素は、図２に示すように表示される。
【００１９】
一実施形態では、ユーザは、ナビゲーション要素に対するコードに対応するキーパッド２３０上の一つ又はそれ以上のキーを押すことによって、特定のナビゲーション要素にアクセスすることができる。例えば、ユーザがナビゲーション要素Ａ２１５と関連するターゲットにアクセスしたい場合は、ナビゲーション要素Ａ２１５と関連するコードが「１」２３５なので、ユーザは、デバイス２００上の数字「１」キー２５０を押せばよい。同様に、ユーザがナビゲーション要素Ｃ２２５と関連するターゲットにアクセスしたい場合は、ナビゲーション要素Ｃ２２５と関連するコードが「３」２４５なので、ユーザは、デバイス２００上の数字「３」キー２５５を押せばよい。一実施形態では、デバイス２００の表示領域２１０上のカーソルは、対応するキーがひとたび押されると、選択されたナビゲーション要素まで移動することができる。例えば、ユーザが、ナビゲーション要素Ａ２１５のターゲットにアクセスしたい場合は、ユーザは、デバイス２００上の数字「１」キー２５０を押せばよい。ユーザが、「１」キー２５０を押した後では、表示領域２１０上のカーソルは、ナビゲーション要素Ａ２１５が在る場所まで移動することができる。
【００２０】
一実施形態では、所望のナビゲーション要素にアクセスするため、複数のキーが押されてもよい。例えば、ナビゲーション要素Ｊ２６０を選択するためには、ユーザは、「１」キー２５０を押し、次いで、「０」キー２７０を押せばよい。なぜなら、「１０」は、ナビゲーション要素Ｊ２６０と関連するコード２６５だからである。ユーザが、第一のキーを押すと、カーソルは、押されたキー上のコードによって表わされている領域に移動することができる。例えば、ナビゲーション要素Ｊ２６０にアクセスしたいユーザは、先ず、「１」キー２５０を押せばよい。この時点では、カーソルは、ナビゲーション要素Ａ２１５に移動するかもしれない。なぜなら、ナビゲーション要素Ａ２１５は、コード「１」２３５と関連しているからである。しかしながら、ユーザが、「０」キー２７０を押すと、カーソルは、ナビゲーション要素Ｊ２６０にジャンプする。なぜなら、ナビゲーション要素Ｊ２６０は、コード「１０」と関連しているからである。
【００２１】
一実施形態では、コードは、特定の色であってもよい。ユーザは、ナビゲーション要素の色に対応するデバイスのキーパッド上のキーを押すことによって、ナビゲーション要素にアクセスすることができる。例えば、図３に示すように、ナビゲーション要素を、色のコードに対応させることができる。ナビゲーション要素のテキストは、特定の色の網掛けを付けることができ、ナビゲーション要素は、透明色等でハイライトすることができる。例えば、図３において、ナビゲーション要素Ａ３３０は、図３で縦の線３４０によって表わされている赤の網掛けを付け、一方、ナビゲーション要素Ｂ３３５は、図３で横の線３４５によって表わされている青の網掛けを付けることができる。また、デバイス３００のキーパッド３０５上のキーは、色を含むことができる。例えば、キーパッド３０５上の一つ又はそれ以上のキーは、それぞれ、ある色の着色ドット等を含むことができる。
【００２２】
図３に示すように、キーパッド３０５上のキーのそれぞれには、異なる色の網掛けを付けることができる。例えば、「１」キー３１０には、図３で縦の線３２０によって表わされている赤の網掛けを付けることができ、また、「２」キー３１５には、図３で横の線３２５によって表わされている青の網掛けを付けることができる。一実施形態では、ユーザは、ナビゲーション要素の色に対応するキーパッド３０５上のキーを押すことによって、特定のナビゲーション要素にアクセスすることができる。例えば、ユーザが、ナビゲーション要素Ａ３３０のターゲットにアクセスしたい場合は、ユーザは、デバイス３００上の数字「１」キー３１０を押せばよい。なぜなら、ナビゲーション要素Ａ３３０に対応している色は、赤だからである。同様に、ユーザが、ナビゲーション要素Ｂ３３５と関連するターゲットにアクセスしたい場合は、ユーザは、デバイス３００上の数字「２」３１５キーを押せばよい。なぜなら、ナビゲーション要素Ｂ３３５に対応している色は、青だからである。
【００２３】
一実施形態では、ナビゲーション要素は、コードの組合せを含むことができる。例えば、図４に示すように、ナビゲーション要素は、数値のコードと色のコードとで表示することができる。ユーザが、ナビゲーション要素Ｂ４０５を選択したい場合は、ユーザは、キーパッド４２０上の「２」キー４１０を押せばよい。なぜなら、「２」は、ナビゲーション要素Ｂ４０５に対応しているコード４１５だからである。別法として、ユーザは、キーパッド上の「２」キー４１０を押すことによって、ナビゲーション要素Ｂ４０５を選択することができる。なぜなら、「２」キー４１０は、図４で横の線４２５によって表わされている青の網掛けが付いており、また、ナビゲーション要素Ｂ４０５は、図４で横の線４３０によって表わされている青の色のコードに対応しているからである。
【００２４】
デバイスは、ナビゲーション要素に対して専用化されたキーを含むようにすることができる。あるいは、一つ又はそれ以上のキーが、他の機能を有するようにすることができる。後者の場合において、システムは、現在既知の、あるいは、今後既知となる方法又はデバイスを用いて、ターゲットへのナビゲーションを、電話番号のダイヤリング等の他の機能と識別することができる。このような方法及びデバイスは、例えば、（ｉ）ユーザに、予め決められた長さの間、キーを押し、かつ、保持して、ナビゲーション機能をトリガすることを要求すること、（ｉｉ）操作された時に、直前又は直後のキー操作が機能の起動をトリガすることを、デバイスに通知するようなファンクションキー４６５又は他の入力デバイスを備えること、又は（ｉｉｉ）他のデバイス、を含むことができる。
【００２５】
一実施形態では、選択されたナビゲーション要素に対応するターゲットを、適切なコードをユーザから受け取った直後に表示するようにすることができる。例えば、ユーザが、「２」４１０を押した場合に、ナビゲーション要素Ｂ４０５に対応するターゲットを表示することができる。また、一実施形態では、ターゲットを、指定された遅延期間後に表示するようにすることができる。例えば、指定された遅延期間が２秒の場合は、ナビゲーション要素Ｂ４０５と関連するターゲットは、ユーザが、「２」４１０を押してから２秒後に表示することができる。この技術分野における通常の知識を有する人には、本開示の範囲内で、より長い、あるいは、より短い遅延期間を用いることができることは、明らかであろう。
【００２６】
選択されたナビゲーション要素に対応するターゲットは、ユーザから確認を受け取った後で表示するようにすることができる。例えば、一実施形態では、ユーザが、ナビゲーション要素のコードに対応するデバイスのキーパッド４２０上の一つ又はそれ以上のキーを押してナビゲーション要素を選択した後で、カーソルは、選択されたナビゲーション要素に移動することができる。ユーザは、次いで、「Ｅｎｔｅｒ」キー、「ＯＫ」キー、「Ｓｅｌｅｃｔ」キー等の確認キーを押すことによって、関連するターゲットにアクセスすることができる。ユーザが、確認キーを押した後で、ターゲットをデバイス４００上に表示することができる。例えば、ユーザが、「２」４１０を押すと、カーソルは、ナビゲーション要素Ｂ４０５の場所まで移動することができる。ユーザは、次いで、「Ｅｎｔｅｒ」キー４３５を押して、ナビゲーション要素Ｂ４０５を選択することができる。
【００２７】
一実施形態では、ナビゲーション要素に対応するコードの生成は、ユーザが、オンオフすることができるオプショナルな機能とすることができる。この機能をオンにした場合は、全てのナビゲーション要素が、コードと共に表示され、したがって、ユーザは、デバイスのキーパッドを用いてコードを選択することにより、より容易に電子文書をナビゲートすることができる。しかしながら、この機能をオフにした場合は、電子文書は、数値のコード、色のコード等の無い、普通のやり方で表示することができる。
【００２８】
図５は、電子デバイスを用いて電子文書をナビゲートする方法の概要を示すフローチャートの例を示す。デバイスは、５００において、デバイス上のソフトウェアアプリケーションから、メモリ等から、無線ネットワークを介して、電子文書を得ることができる。デバイスのウェブブラウザ又は関連するアプリケーションはまた、５０５において、電子文書における各ナビゲーション要素に対応するコードを生成することもできる。電子文書は、５１０において、ナビゲーション要素と、それらの対応するコードとが共に表示される方法で、デバイス上に表示することができる。ユーザは、５１５において、ナビゲーション要素に対応するコードに対応するデバイス上の一つ又はそれ以上のキーを押す等して、一つ又はそれ以上の入力要素を操作することによって、ナビゲーション要素を選択することができる。ナビゲーション要素は、５２０において、電子デバイスの入力要素又は入力要素の組合せにリンクすることができる。５２５において、入力要素が、ナビゲーション機能を起動するのに十分な長さの間、操作されたかどうか、あるいは、５３０において、ナビゲーションキーが操作されたかどうか、を判定することができる。５３５において、少なくとも一つの入力要素の選択を受け取ることができ、かつ、５４０において、選択された入力要素に対応するナビゲーション要素によって表わされたターゲットを表示することができる。
【００２９】
本願において、記述した特定のシステム、方法論、又は、プロトコルは、変わる場合があることから、これらに限定されるものではないことを理解されたい。また、ここで使用されている用語は、特定の実施形態のみを記述するためのものであり、本発明の技術的範囲を限定する意図ではないことも理解されたい。
【図面の簡単な説明】
【００３０】
【図１】本実施形態により、ナビゲーション要素を有する電子文書が表示された電子デバイスの例を示す。
【図２】本実施形態により、数値のコードに対応するナビゲーション要素を有する電子文書が表示された電子デバイスの例を示す。
【図３】本実施形態により、色のコードに対応するナビゲーション要素を有する電子文書が表示された電子デバイスの例を示す。
【図４】本実施形態により、数値及び色のコードに対応するナビゲーション要素を有する電子文書が示された電子デバイスの例を示す。
【図５】本実施形態における、電子デバイスを用いて電子文書をナビゲートする方法の概要を示すフローチャートの例を示す。
【符号の説明】
【００３１】
２００  電子デバイス
２０５  表示領域
２１５  ナビゲーション要素Ａ
２３５  コード
２５０  キー
【図１】
2008269612.tif 000003
【図２】
2008269612.tif 000004
【図３】
2008269612.tif 000005
【図４】
2008269612.tif 000006
【図５】
2008269612.tif 000007